(57)【特許請求の範囲】
【請求項１】
各オーディオ機器に共通に備えられる共通端子及び各オーディオ機器専用の信号端子を有する機器側コネクタを備えた複数のオーディオ機器を電気接続して支持するオーディオラックにおいて、
前記複数のオーディオ機器を任意の位置に支持可能な長尺の支持部を有するオーディオラック本体と、
前記長尺の支持部に沿って設置され、前記共通端子及び前記各オーディオ機器専用の信号端子のそれぞれに接続する複数の端子を有し、前記機器側コネクタを任意の位置で接続可能なラック側コネクタと、
前記ラック側コネクタを介して前記複数のオーディオ機器に電気接続されて各オーディオ機器を制御するコントローラと、
を備えたことを特徴とするオーディオラック。
【請求項２】
前記長尺の支持部は、前記オーディオ機器が連続的に移動可能な構造であることを特徴とする請求項１に記載のオーディオラック。
【請求項３】
前記ラック側コネクタは前記共通端子として電源端子を備え、前記オーディオ機器に前記電源端子を介して外部からの電源を供給することを特徴とする請求項１に記載のオーディオラック。
【請求項４】
前記オーディオラック本体は、床に置かれる盤状のオーディオラック本体であり、前記長尺の支持部は、該盤状のオーディオラック本体に設けられた溝であることを特徴とする請求項１に記載のオーディオラック。
【請求項５】
前記オーディオラック本体は、壁に横向きに取付けられるポールであり、該ポールが前記長尺の支持部を構成することを特徴とする請求項１に記載のオーディオラック。
【請求項６】
前記オーディオラック本体は、壁に横向きに取付けられるレールであり、該レールが前記長尺の支持部を構成することを特徴とする請求項１に記載のオーディオラック。
【請求項７】
前記オーディオラック本体は、壁に取付けられるボードであり、前記長尺の支持部は、該ボードに設けられた横方向の溝であり、該溝は底部に拡幅部を有することを特徴とする請求項１に記載のオーディオラック。
【請求項８】
前記オーディオラック本体は、底板と天板を有する棚であり、該底板と天板とが前記長尺の支持部を構成することを特徴とする請求項１に記載のオーディオラック。
【発明の詳細な説明】
【技術分野】
【０００１】
本発明は、オーディオシステムに関し、特に、ＣＤプレーヤ、ＤＶＤプレーヤ等の複数のデジタルオーディオ機器を電気接続して支持するオーディオラックに関する。
【背景技術】
【０００２】
従来のオーディオラック等の電子機器製品ラックは、各種電子機器製品を別々に収容する複数の収容空間を設け、各収容空間の背面にそれぞれ電子機器製品ジャックと電源コンセントを設け、電子機器製品コードと電源コードをラック内外で分割するように構成していた。このラックは、電子機器製品と収容先の電子機器製品ジャック及び電源コンセント間でラック内側における電子機器製品コードと電源コードの接続を行い、電子機器製品ジャック及び電源コンセント間或いはその各電源コンセントと商用電源間でラック外側における電子機器製品コードと電源コードの接続を行うことにより、電子機器製品システムのセッティング並びにセッティング変更を容易に行い得るものである。（例えば、特許文献１参照）。【０００３】
【特許文献１】実開平５−７２１８８号公報（段落〔０００５〕、〔０００６〕、〔００１２〕、図１〜図３）
【発明の開示】
【発明が解決しようとする課題】
【０００４】
しかしながら、上記従来の電子機器製品ラックは、電子機器製品システムをラックにセッティングするとき、チューナ、アンプ、カセットデッキ、ＣＤプレーヤ等をラックのどこの収容空間に収容するかを決め、第１のステップとして、各収容空間のラック背面に前記各機器専用のジャックボードを嵌合固定し、第２のステップとして、各機器と専用ジャックボードとのラック内側配線接続を行い、第３のステップとして、各機器間を接続するためにジャックボード間のラック外側配線接続を行わねばならない。また、他のオーディオ製品への交換、追加、ラック内での配置転換などオーディオシステムの変更を行うときにも、専用のジャックボードを用意してラック背面に嵌合固定し、続いて前記第２、第３の配線接続作業を行わなければならず、配線接続作業が煩雑であるという問題があった。【０００５】
本発明が解決しようとする課題には、上記したものが一例として挙げられる。本発明は、ＣＤプレーヤ、ＤＶＤプレーヤ等の複数のオーディオ機器を自由な任意の位置に設置してかつオーディオ機器間の電気接続を行うことができるようにし、これによりセッティング時の配線接続作業及び機器の配置転換時の配線接続作業が容易なオーディオラックを得ることを目的とする。
【課題を解決するための手段】
【０００６】
上述した課題を解決し、目的を達成するために、本発明は、各オーディオ機器に共通に備えられる共通端子及び各オーディオ機器専用の信号端子を有する機器側コネクタを備えた複数のオーディオ機器を電気接続して支持するオーディオラックにおいて、前記複数のオーディオ機器を任意の位置に支持可能な長尺の支持部を有するオーディオラック本体と、前記長尺の支持部に沿って設置され、前記共通端子及び前記各オーディオ機器専用の信号端子のそれぞれに接続する複数の端子を有し、前記機器側コネクタを任意の位置で接続可能なラック側コネクタと、前記ラック側コネクタを介して前記複数のオーディオ機器に電気接続されて各オーディオ機器を制御するコントローラと、を備えたことを特徴とする。
【発明の効果】
【０００７】
本発明にかかるオーディオラックは、複数のオーディオ機器をオーディオラック本体の支持部の自由な任意の位置に設置して支持することができ、オーディオ機器のセッティング時の配線接続作業及び配置転換時の配線接続作業が容易であるという効果を奏する。
【図面の簡単な説明】
【０００８】
【図１】図１は、実施例１のオーディオシステム１００の正面図である。
【図２】図２は、同左前方斜視図である。
【図３−１】図３−１は、図１のＰ−Ｐ線に沿う溝１ａの拡大断面図である。
【図３−２】図３−２は、図１のＰ−Ｐ線に沿う溝１ｄの拡大断面図である。
【図４】図４は、図３−１のＱ−Ｑ線に沿う断面図である。
【図５】図５は、オーディオシステム１００の各機器間の配線図である。
【図６】図６は、コネクタの他の例を示す図１のＰ−Ｐ線に沿う溝１ａの拡大断面図である。
【図７】図７は、図６のＳ−Ｓ線に沿う断面図である。
【図８】図８は、実施例２のオーディオシステム２００の左前方斜視図である。
【図９】図９は、実施例３のオーディオシステム３００の右前方斜視図である。
【図１０】図１０は、同正面図である。
【図１１】図１１は、実施例４のオーディオシステム４００の正面図である。
【図１２】図１２は、図１１のＴ−Ｔ線に沿う断面図である。
【図１３】図１３は、実施例５のオーディオシステム５００の正面図である。
【図１４】図１４は、同右前方分解斜視図である。
【符号の説明】
【０００９】
１  オーディオラック本体
１ａ，１ｄ  溝（長尺の支持部）
４  コントローラ
５，６，７  オーディオ機器
１２  壁
１３ａ，１３ｂ  ポール（オーディオラック本体）
１６ａ，１６ｂ  レール（オーディオラック本体）
１７  ボード（オーディオラック本体）
１７ａ  溝（長尺の支持部）
１７ｂ  拡幅部
１９  棚（オーディオラック本体）
１９ａ  底板（長尺の支持部）
１９ｂ  天板（長尺の支持部）
２０，２５  ラック側コネクタ
２２，２６  機器側コネクタ
１００，２００，３００，４００，５００  オーディオシステム
ｂ1，ｂ2，ｇ  共通端子
ｃ1，ｃ2，ｃ3，ｄ1，ｄ2，ｄ3  信号端子
Ｂ1，Ｂ2  電源端子
【発明を実施するための最良の形態】
【００１０】
以下に、本発明に係るオーディオラックの実施例を図面に基づいて詳細に説明する。なお、この実施例によりこの発明が限定されるものではない。
【実施例１】
【００１１】
図１は、各種オーディオ機器５、６、７を盤状のオーディオラック本体１に設置した実施例１のオーディオシステム１００の正面図であり、図２は、同オーディオシステム１００のデジタルオーディオ機器５、６、７部分を示す左前方斜視図であり、図３−１は、図１のＰ−Ｐ線に沿う溝１ａの拡大断面図であり、図３−２は、図１のＰ−Ｐ線に沿う溝１ｄの拡大断面図であり、図４は、図３−１のＱ−Ｑ線に沿う断面図であり、図５は、オーディオシステム１００の各機器間の配線図であり、図６は、コネクタの他の例を示す図１のＰ−Ｐ線に沿う溝１ａの拡大断面図であり、図７は、図６のＳ−Ｓ線に沿う断面図である。【００１２】
図１及び図２に示すように、オーディオシステム１００は、床に置かれる長方形盤状のオーディオラック本体１と、オーディオラック本体１の後側の左右略全長に亘って設けられた長尺の支持部としての直線状の溝１ｄに係合して中央に設置されたディスプレイ２と、同じく溝１ｄに係合してディスプレイ２の左右に設置されたそれぞれ２本の右スピーカ３ａ及び左スピーカ３ｂと、オーディオラック本体１の前側の左右略全長に亘って設けられた長尺の支持部としての直線状の溝１ａに係合して設置されたデジタルオーディオ機器（以下、単に「オーディオ機器」という。）としてのチューナ５、ＣＤプレーヤ６、ＤＶＤプレーヤ７と、同じく溝１ａに係合して設置されオーディオ機器５、６、７を制御するコントローラ４とを備えている。【００１３】
ＣＤプレーヤ６は、ＣＤディスク６１を再生・記録し、ＤＶＤプレーヤ７はＤＶＤディスク７１を再生・記録する。オーディオ機器としては、他にＭＤプレーヤ、ハードディスク装置等を加えることができる。溝１ａと溝１ｄとは、同一断面形状となっている。【００１４】
図３−１、図３−２及び図４に示すように、オーディオラック本体１に設けられた溝１ａ、１ｄの前後の側壁１ｂ、１ｃには、横方向全長に亘って延在する帯状のラック側電源端子Ｂ1、Ｂ2、ラック側アンテナ端子Ａ、ラック側ＧＮＤ端子Ｇ、ラック側ビデオ信号端子Ｖ、ラック側右オーディオ信号端子Ｒ、ラック側左オーディオ信号端子Ｌ、ラック側コントロール信号端子Ｃ1、Ｃ2、Ｃ3、ラック側データ信号端子Ｄ1、Ｄ2、Ｄ3等の合計１３本のラック側接触端子が、溝１ａ、１ｄの深さ方向に所定の間隔で配置されている。溝１ａに配置された各ラック側端子と溝１ｄに配置された同一の各ラック側端子とは、電気接続されている。【００１５】
溝１ａ、１ｄと、溝１ａ、１ｄ内に配置された上記１３本の帯状のラック側接触端子とで、ラック側コネクタ２０を構成している。ラック側コネクタ２０は、コントローラ４と、オーディオ機器５、６、７、ディスプレイ２及びスピーカ３ａ、３ｂとの間を電気接続するのに必要な端子数を少なくとも備えている。ラック側電源端子Ｂ1、Ｂ2は、ＡＣ電源コード１０に接続され、ラック側アンテナ端子Ａは、アンテナケーブル１１に接続されている。【００１６】
図５に示すように、チューナ５、ＣＤプレーヤ６及びＤＶＤプレーヤ７等のオーディオ機器のそれぞれと接続され、これらを個別に制御するコントローラ４は、制御するオーディオ機器５、６、７を選択する切換スイッチ４ａ、オーディオ機器５、６、７のいずれとも通信可能な汎用インターフェース４ｂ、オーディオ機器５、６、７の制御信号及びデータ信号を処理するＣＰＵ４ｃ、制御プログラムを格納するＲＯＭ４ｄ、データを一時格納するＲＡＭ４ｅ、スピーカ３ａ、３ｂにそれぞれオーディオ信号を出力するオーディオプロセッサ４ｆ、４ｇ、ディスプレイ２にビデオ信号を出力するビデオプロセッサ４ｈ、操作入力部４ｉ、表示部４ｊ等を備えている。【００１７】
コントローラ４は、図３−１に示すように、外形が直方体状に形成され、その下面四隅には脚４１を備えている。コントローラ４の下部は、溝１ａ、１ｂ内に挿入して溝１ａ、１ｂと係合するように、その奥行寸法が溝１ａ、１ｄの幅より小さく形成されている。【００１８】
図３−１及び図４に示すように、コントローラ４の前後の側面４ｍ、４ｎの下部左側には、半球突起状に形成された共通端子としての機器側電源端子ｂ1、ｂ2、機器側アンテナ端子ａ、共通端子としての機器側ＧＮＤ端子ｇ、機器側ビデオ信号端子ｖ、機器側右オーディオ信号端子ｒ、機器側左オーディオ信号端子ｌ、各オーディオ機器専用の信号端子としての機器側コントロール信号端子ｃ1、ｃ2、ｃ3、各オーディオ機器専用の信号端子としての機器側データ信号端子ｄ1、ｄ2、ｄ3等の合計１３個の機器側接触端子が、それぞれラック側接触端子と同じ高さに配置され、ラック側接触端子と接触している。【００１９】
コントローラ４においては、機器側アンテナ端子ａは、ダミー端子であり、コントローラ４の内部と電気的には接続されていない。機器側接触端子は、電気的接続及び機械的固定を確実にするために、コントローラ４の下部の左右２箇所に設けるとよい。【００２０】
オーディオ機器５、６、７は、コントローラ４と同様に、外形が直方体状に形成され、その下面四隅には脚４１を備え、奥行寸法は、溝１ａ、１ｂ内に挿入して溝１ａ、１ｂと係合するように、コントローラ４の寸法と同一にされている。【００２１】
図３−１及び図４に示すように、オーディオ機器５、６、７の前後の側面４ｍ、４ｎの下部左右には、コントローラ４と同様に、半球突起状に形成された共通端子としての機器側電源端子ｂ1、ｂ2、機器側アンテナ端子ａ、共通端子としての機器側ＧＮＤ端子ｇ、機器側ビデオ信号端子ｖ、機器側右オーディオ信号端子ｒ、機器側左オーディオ信号端子ｌ、各オーディオ機器専用の信号端子としての機器側コントロール信号端子ｃ1、ｃ2、ｃ3、各オーディオ機器専用の信号端子としての機器側データ信号端子ｄ1、ｄ2、ｄ3等の合計１３個の機器側接触端子が、それぞれラック側接触端子と同じ高さに配置され、ラック側接触端子と接触して電気接続される。【００２２】
図５に示すように、チューナ５においては、共通端子としての機器側電源端子ｂ1、ｂ2、機器側アンテナ端子ａ、共通端子としての機器側ＧＮＤ端子ｇ、チューナ５専用の信号端子としての機器側コントロール信号端子ｃ1及び機器側データ信号端子ｄ1が、チューナ５の内部と電気的に接続される機器側接触端子であり、他は、チューナ５を溝１ａ、１ｂに固定するためのダミー端子である。【００２３】
ＣＤプレーヤ６においては、共通端子としての機器側電源端子ｂ1、ｂ2及び機器側ＧＮＤ端子ｇ、ＣＤプレーヤ６専用の機器側コントロール信号端子ｃ2及び機器側データ信号端子ｄ2が、ＣＤプレーヤ６の内部と電気的に接続される機器側接触端子であり、他は、ＣＤプレーヤ６を溝１ａ、１ｂに固定するためのダミー端子である。【００２４】
ＤＶＤプレーヤ７においては、共通端子としての機器側電源端子ｂ1、ｂ2及び機器側ＧＮＤ端子ｇ、ＤＶＤプレーヤ７専用の機器側コントロール信号端子ｃ3及び機器側データ信号端子ｄ3が、ＤＶＤプレーヤ７の内部と電気的に接続される機器側接触端子であり、他は、ＤＶＤプレーヤ７を溝１ａ、１ｂに固定するためのダミー端子である。【００２５】
このように、オーディオ機器５、６、７においては、機器側電源端子ｂ1、ｂ2及び機器側ＧＮＤ端子ｇは、各オーディオ機器５、６、７に共通に備えられる共通端子であり、機器側コントロール信号端子ｃ１、ｃ２、ｃ３及び機器側データ信号端子ｄ１、ｄ２、ｄ３が、各オーディオ機器専用の信号端子である。ラック側コネクタ２０には、接続されるオーディオ機器に応じた数のラック側コントロール信号端子及びラック側データ信号端子を設置する。【００２６】
脚４１を含むコントローラ４及びオーディオ機器５、６、７の直方体状の下部が、溝１ａに係合して支持される被支持部２１となる。被支持部２１及び被支持部２１の前後の側面に配置された機器側接触端子が機器側コネクタ２２を構成している。【００２７】
コントローラ４及びオーディオ機器５、６、７の被支持部２１を長尺の支持部としての溝１ａ、１ｄに挿入して係合させると、機器側コネクタ２２のそれぞれとラック側コネクタ２０とが接続される。帯状のラック側接触端子が溝１ａ、１ｄの略全長に亘って延在しているので、コントローラ４及びオーディオ機器５、６、７は、溝１ａ、１ｄの自由な任意の位置に設置することができ、又、その位置を連続的に移動可能である。【００２８】
図３−２に示すように、ディスプレイ２及びスピーカ３ａ、３ｂの下部は、奥行寸法が溝１ａ、１ｄの幅より小さく形成され、倒れ止めのために円板状の鍔２ａが設けられている。【００２９】
ディスプレイ２においては、機器側電源端子ｂ1、ｂ2、機器側ＧＮＤ端子ｇ、機器側ビデオ信号端子ｖが、ディスプレイ２の内部と電気的に接続される機器側端子であり、他は、ディスプレイ２を溝１ａ、１ｄに固定するためのダミー端子である。【００３０】
スピーカ３ａ、３ｂにおいては、機器側ＧＮＤ端子ｇ、機器側右オーディオ信号端子ｒ又は機器側左オーディオ信号端子ｌが、スピーカ３ａ、３ｂの内部と電気的に接続される機器側端子であり、他は、スピーカ３ａ、３ｂを溝１ａ、１ｂに固定するためのダミー端子である。【００３１】
以上、ラック側コネクタ２０を介してコントローラ４とディスプレイ２及びスピーカ３ａ、３ｂとを電気接続する方法を説明したが、ディスプレイ２及びスピーカ３ａ、３ｂは、オーディオラック本体１上で設置位置を変更する必要はそれほどないので、溝１ｄを設けずに、オーディオラック本体１上に固定設置し、コントローラ４とディスプレイ２及びスピーカ３ａ、３ｂとの電気接続は、ラック側コネクタ２０及び機器側コネクタ２２を介さずに、配線を直接つないで接続するようにしてもよい。また、溝１ａは、長尺の連続溝としたが、オーディオ機器５、６、７が個別に挿入できる程度の短い溝を複数設けたものであってもよい。【００３２】
次に、図６及び図７を参照して、ラック側コネクタ及び機器側コネクタの他の例について説明する。図６に示すように、オーディオラック本体１の溝１ａの中央部には、溝１ａよりも狭い幅の溝１ｅが溝１ａの全長に亘って設けられ、溝１ｅ内には、前述のラック側コネクタ２０の代わりに、多線ケーブル２７に接続されたラック側ピン型コネクタ２５が敷設されている。ラック側ピン型コネクタ２５は、設置されるオーディオ機器の最大数に対応して複数本が敷設され、各ラック側ピン型コネクタ２５は多線ケーブル２７で並列に電気接続されている。各ラック側ピン型コネクタ２５は、多線ケーブル２７を図７に示すようにＵ字形に折り曲げてオーディオ機器５、６、７の下部に設けられた機器側ピン型コネクタ２６に挿し込まれて接続される。各機器間の電気接続は、図５に示すものと同じである。【００３３】
多線ケーブル２７をＵ字形に折り曲げることにより、オーディオ機器５、６、７は、溝１ａ上の任意の位置に設置することができ、また、その位置を連続的に移動可能である。ディスプレイ２及びスピーカ３ａ、３ｂとコントローラ４との接続もこの接続形式を採用することができる。この接続形式によれば、機器間の接続が多線ケーブル２７とピン型コネクタ２５、２６によってなされるので、電気接続の信頼性が高い。【００３４】
次に、オーディオシステム１００の組立及び動作について説明する。まず、オーディオラック本体１の溝１ａ、１ｄ上にディスプレイ２、スピーカ３ａ、３ｂ、コントローラ４及びオーディオ機器５、６、７を設置し、各々の機器側コネクタ２２（２６）をラック側コネクタ２０（２５）に接続し、電源コード１０を電源に接続し、アンテナケーブル１１をアンテナに接続する。【００３５】
操作入力部４ｉを操作してコントローラ４に電源を入れると、ＲＯＭ４ｅに格納された接続機器識別プログラムが起動する。この接続機器識別プログラムの動作により、切換スイッチ４ａが制御されて、まず、チューナ５の信号端子Ｃ1、Ｄ1をコントローラ４に接続し、信号端子Ｃ1又はＤ1の電位を測定する。チューナ５には機器側電源端子ｂ1、ｂ2を介して電源が入っているので、信号端子Ｃ1、Ｄ1には、チューナ５の内部抵抗に応じた所定の電位Ｖ１が発生している。所定の電位Ｖ１が発生していれば、チューナ５が接続されていると認識し、その旨が表示部４ｊに表示される。電位Ｖ１が発生していなければチューナ５は接続されていないと認識する。【００３６】
次に、切換スイッチ４ａを切換えてＣＤプレーヤ６の信号端子Ｃ2、Ｄ2をコントローラ４に接続し、信号端子Ｃ2又はＤ2の電位を測定し、ＣＤプレーヤ６の接続・非接続を認識する。ＣＤプレーヤ６の内部抵抗に応じた所定の電位Ｖ２が発生していれば、ＣＤプレーヤ６が接続されていると認識する。同様にして、全ての接続可能機器の接続・非接続を認識し、接続され利用可能なオーディオ機器５、６、７を表示部４ｊに表示する。【００３７】
ユーザが、操作入力部４ｉを操作して表示部４ｊに表示されたＣＤプレーヤ６を選択すると、切換スイッチ４ａが信号端子Ｃ2、Ｄ2を選択してコントローラ４の汎用インターフェース４ｂに接続する。続いて、ユーザが、動作開始操作を行なうと、コントロール信号端子Ｃ２からＣＤプレーヤ６に制御信号を送信してＣＤプレーヤを作動させ、データ信号端子Ｄ２からデータ信号を取り込みＣＰＵ４ｃで処理し、オーディオプロセッサ４ｆ、４ｇ及び／又はビデオプロセッサ４ｈからオーディオ信号及び／又はビデオ信号をそれぞれオーディオ信号端子Ｒ、Ｌ及び／又はビデオ信号端子Ｖに出力してディスプイ２及び／又はスピーカ３ａ、３ｂを作動させる。【００３８】
他のオーディオ機器５、７を選択して作動させるときも上記と同様にして行うことができる。また、切換スイッチ４ａによりチューナ５とＣＤプレーヤ６又はＤＶＤプレーヤ７とをコントローラ４に接続し、チューナ５からのデータをＣＤディスク６１又はＤＶＤディスク７１に記録することもできる。【００３９】
以上、オーディオシステム１００の構成及び動作について説明したが、オーディオシステム１００の構成要素のうち、長尺の支持部としての溝１ａを備えた盤状のオーディオラック本体１と、ラック側コネクタ２０（２５）と、コントローラ４とを含んで実施例１のオーディオラックが構成されている。実施例１のオーディオラックによれば、チューナ５、ＣＤプレーヤ６、ＤＶＤプレーヤ７等の複数のオーディオ機器をオーディオラック本体１の溝１ａの自由な任意の位置に設置して支持することができ、オーディオ機器５、６、７のセッティング時の配線接続作業及び配置転換時の配線接続作業が容易である。
【実施例２】
【００４０】
図８は、各種オーディオ機器５、６、７をポール状のオーディオラック本体１３ａ、１３ｂに設置した実施例２のオーディオシステム２００の左前方斜視図である。図８において図１〜図７に示すものと同等なものには同一の符号を付し、その詳細な説明を省略する。【００４１】
オーディオシステム２００は、部屋の壁１２に横向きに平行に取り付けられたオーディオラック本体であって、かつ長尺の支持部としての２本のポール１３ａ、１３ｂと、上下に被支持部としての横方向の２つのポール挿通孔１３ｃ、１３ｄが設けられ、ポール１３ａ、１３ｂが挿通されて懸架されたコントローラ４と、同じく上下に被支持部としての横方向の２つのポール挿通孔１３ｃ、１３ｄが設けられポール１３ａ、１３ｂに懸架されたオーディオ機器としてのチューナ５、ＣＤプレーヤ６、ＤＶＤプレーヤ７と、壁１２に懸架されたディスプレイ２と、壁１２と天井１４のコーナー部に横方向に張られた２本のワイヤ１５ａ、１５ｂに懸架されたスピーカ３ａ、３ｂとを備えている。【００４２】
ポール１３ａ、１３ｂにコントローラ４及びオーディオ機器５、６，７を懸架させるときは、ポール１３ａ、１３ｂを壁１２から取り外して行なう。ポール１３ａ、１３ｂに懸架されるコントローラ４及びオーディオ機器５、６、７の並び順は自由であり、また、個々の機器はポール１３ａ、１３ｂ上を左右に移動することができる。また、スピーカ３ａ、３ｂもワイヤ１５ａ、１５ｂ上を左右に移動することができる。【００４３】
図示しないが、コントローラ４及びオーディオ機器５、６，７は、それぞれ後面に機器側ピン型コネクタ２６が備えられ、機器側ピン型コネクタ２６間は、ラック側ピン型コネクタ２５及び多線ケーブル２７で接続されている。ディスプレイ２及びスピーカ３ａ、３ｂとコントローラ４とは、ラック側ピン型コネクタ２５及び多線ケーブル２７を介さずに配線で接続されている。ラック側ピン型コネクタ２５及び多線ケーブル２７は、ポール１３ａ、１３ｂに沿うように壁１２内を通し、壁１２に設けた孔からラック側ピン型コネクタ２５を引出して機器側ピン型コネクタ２６と接続している。【００４４】
ＡＣ電源コード１０は、コントローラ４に接続され、コントローラ４からラック側ピン型コネクタ２５及び多線ケーブル２７、又は配線を介して各機器に電源が供給される。図示しないが、アンテナケーブル１１はチューナ５に直接、接続されている。【００４５】
以上説明した実施例２のオーディオシステム２００の各機器の機能は、実施例１の各機器の機能と同等であり、オーディオシステム２００は、実施例１のオーディオシステム１００と同等の動作を行うことができる。【００４６】
以上、オーディオシステム２００の構成及び動作について説明したが、オーディオシステム２００の構成要素のうち、長尺の支持部であり、かつオーディオラック本体としてのポール１３ａ、１３ｂと、ラック側ピン型コネクタ２５と、コントローラ４とを含んで実施例２のオーディオラックが構成されている。実施例２のオーディオラックによれば、チューナ５、ＣＤプレーヤ６、ＤＶＤプレーヤ７等の複数のオーディオ機器をポール１３ａ、１３ｂ上の自由な任意の位置に懸架して支持することができ、ラック側ピン型コネクタ２５にオーディオ機器５、６、７の機器側ピン型コネクタ２６を接続するだけでよいので、オーディオ機器５、６、７のセッティング時の配線接続作業及び配置転換時の配線接続作業が容易である。
【実施例３】
【００４７】
図９は、各種オーディオ機器５、６、７、８をレール状のオーディオラック本体１６ａ、１６ｂに懸架した実施例３のオーディオシステム３００の右前方斜視図であり、図１０は、同正面図である。図９及び図１０において、図１〜図８に示すものと同等なものには同一の符号を付し、その詳細な説明を省略する。【００４８】
オーディオシステム３００は、部屋の壁１２に横向きに平行に取り付けられたオーディオラック本体であって、かつ長尺の支持部としての２本のレール１６ａ、１６ｂと、上下に、被支持部としての横方向の２つのレール挿入溝１６ｃ、１６ｄが設けられ、レール１６ａ、１６ｂがレール挿入溝１６ｃ、１６ｄに差し込まれることによって懸架されたコントローラ４と、同じく上下に被支持部としての横方向の２つのレール挿入溝１６ｃ、１６ｄが設けられ、レール１６ａ、１６ｂに懸架されたオーディオ機器としてのチューナ５、ＣＤプレーヤ６、ＤＶＤプレーヤ７、ＭＤプレーヤ８と、図示しないが、別途、床に設置されたディスプレイ２及びスピーカ３ａ、３ｂとを備えている。レール１６ａ、１６ｂに懸架されるコントローラ４及びオーディオ機器５、６、７の並び順は自由であり、また、個々の機器はレール１６ａ、１６ｂ上を左右に移動することができる。【００４９】
図示しないが、コントローラ４及びオーディオ機器５、６，７、８は、それぞれ後面に機器側ピン型コネクタ２６が備えられ、機器側ピン型コネクタ２６間は、ラック側ピン型コネクタ２５及び多線ケーブル２７で接続されている。ディスプレイ２及びスピーカ３ａ、３ｂとコントローラ４とは、ラック側ピン型コネクタ２５及び多線ケーブル２７を介さずに配線で接続されている。ラック側ピン型コネクタ２５及び多線ケーブル２７は、レール１６ａ、１６ｂに沿うように壁１２内を通し、壁１２に設けた孔からラック側ピン型コネクタ２５を引出して機器側ピン型コネクタ２６と接続している。【００５０】
ＡＣ電源コード１０は、コントローラ４に接続され、コントローラ４からラック側ピン型コネクタ２５及び多線ケーブル２７、又は配線を介して各機器に電源が供給される。図示しないが、アンテナケーブル１１はチューナ５に直接、接続されている。【００５１】
以上説明した実施例３のオーディオシステム３００の各機器の機能は、実施例１の各機器の機能と同等であり、オーディオシステム３００は、実施例１のオーディオシステム１００と同等の動作を行うことができる。【００５２】
以上、オーディオシステム３００の構成及び動作について説明したが、オーディオシステム３００の構成要素のうち、長尺の支持部であり、かつオーディオラック本体としてのレール１６ａ、１６ｂと、ラック側ピン型コネクタ２５と、コントローラ４とを含んで実施例３のオーディオラックが構成されている。実施例３のオーディオラックによれば、チューナ５、ＣＤプレーヤ６、ＤＶＤプレーヤ７、ＭＤプレーヤ８等の複数のオーディオ機器をレール１６ａ、１６ｂ上の自由な任意の位置に懸架して支持することができ、ラック側ピン型コネクタ２５にオーディオ機器５、６、７、８の機器側ピン型コネクタ２６を接続するだけでよいので、オーディオ機器５、６、７、８のセッティング時の配線接続作業及び配置転換時の配線接続作業が容易である。
【実施例４】
【００５３】
図１１は、実施例４のオーディオシステム４００の正面図であり、図１２は、図１１のＴ−Ｔ線に沿う断面図である。図１１及び図１２において、図１〜図１０に示すものと同等なものには同一の符号を付し、その詳細な説明を省略する。【００５４】
オーディオシステム４００は、部屋の壁１２に取付けられるオーディオラック本体としての長方形厚板状のボード１７と、ボード１７の上下方向中央部に横方向略全長に亘って設けられた長尺の支持部としての直線状の溝１７ａと、溝１７ａに係合して中央に設置されたディスプレイ２と、同じく溝１７ａに係合してディスプレイ２の右側に設置されたコントローラ４と、同じく溝１７ａに係合してディスプレイ２の左右に設置されたオーディオ機器としてのＣＤプレーヤ６及びＤＶＤプレーヤ７と、図示しないが、別途、床に設置されたスピーカ３ａ、３ｂとを備えている。溝１７ａに係合して懸架されるディスプレイ２、コントローラ４及びオーディオ機器６、７の並び順は自由であり、また、個々の機器は溝１７ａ上を左右に移動することができる。【００５５】
長尺の支持部としての溝１７ａは、図１２に示すように、底部に拡幅部１７ｂを有し、ディスプレイ２、コントローラ４及びオーディオ機器６、７における被支持部は、各機器の後面に取付けられ、拡幅部１７ｂに係合する鉤部１８を含んで構成されている。【００５６】
図示しないが、ディスプレイ２、コントローラ４及びオーディオ機器６，７には、それぞれ後面に機器側ピン型コネクタ２６が備えられ、機器側ピン型コネクタ２６間は、ラック側ピン型コネクタ２５及び多線ケーブル２７で接続されている。スピーカ３ａ、３ｂとコントローラ４とは、ラック側ピン型コネクタ２５及び多線ケーブル２７を介さずに配線で接続されている。ラック側ピン型コネクタ２５及び多線ケーブル２７は、溝１７ａに沿うようにボード１７の後側を通し、ボード１７に設けた孔からラック側ピン型コネクタ２５を引出して機器側ピン型コネクタ２６と接続している。【００５７】
ＡＣ電源コード１０は、多線ケーブル２７に接続され、多線ケーブル２７及びピン型コネクタ２５を介して各機器に電源が供給される。【００５８】
以上説明した実施例４のオーディオシステム４００の各機器の機能は、実施例１の各機器の機能と同等であり、オーディオシステム４００は、実施例１のオーディオシステム１００と同等の動作を行うことができる。【００５９】
以上、オーディオシステム４００の構成及び動作について説明したが、オーディオシステム４００の構成要素のうち、長尺の支持部としての溝１７ａを備えたオーディオラック本体としてのボード１７と、ラック側ピン型コネクタ２５と、コントローラ４とを含んで実施例４のオーディオラックが構成されている。実施例４のオーディオラックによれば、ＣＤプレーヤ６、ＤＶＤプレーヤ７等の複数のオーディオ機器を溝１７ａ上の自由な任意の位置に懸架して支持することができ、ラック側ピン型コネクタ２５にオーディオ機器６、７の機器側ピン型コネクタ２６を接続するだけでよいので、オーディオ機器６、７のセッティング時の配線接続作業及び配置転換時の配線接続作業が容易である。
【実施例５】
【００６０】
図１３は、実施例５のオーディオシステム５００の正面図であり、図１４は、同右前方分解斜視図である。図１３及び図１４において、図１〜図１２に示すものと同等なものには同一の符号を付し、その詳細な説明を省略する。【００６１】
オーディオシステム５００は、長尺の支持部としての底板１９ａ及び天板１９ｂを有するオーディオラック本体としての長尺の棚１９と、棚１９に、仕切壁のように、間隔を空けて挿入されたコントローラ４、ＣＤプレーヤ６、ＤＶＤプレーヤ７及びスピーカ３ａ，３ｂと、壁１２に掛けられたディスプレイ２とを備えている。棚１９内のコントローラ４、オーディオ機器６、７及びスピーカ３ａ、３ｂの並び順は自由であり、また、個々の機器は棚１９内を左右に移動することができる。【００６２】
コントローラ４、オーディオ機器６、７及びスピーカ３ａ、３ｂの底部１９ｃ及び天部１９ｄは、棚１９内に挿入されたとき、それぞれ底板１９ａ、天板１９ｂに接触するように寸法形成されており、これらの底部１９ｃ及び天部１９ｄが被支持部となっている。底板１９ａの四隅には、脚１９ｋが取付けられている。【００６３】
図示しないが、コントローラ４、オーディオ機器６，７及びスピーカ３ａ、３ｂには、それぞれ後面に機器側ピン型コネクタ２６が備えられ、機器側ピン型コネクタ２６間は、ラック側ピン型コネクタ２５及び多線ケーブル２７で接続されている。ディスプレイ２とコントローラ４とは、ラック側ピン型コネクタ２５及び多線ケーブル２７を介さずに配線で接続されている。ラック側ピン型コネクタ２５及び多線ケーブル２７は、底板１９ａ又は天板１９ｂに沿うように棚１９の後側を通し、棚１９の後板１９ｇに設けた孔からラック側ピン型コネクタ２５を引出して機器側ピン型コネクタ２６と接続している。【００６４】
図示しないが、ＡＣ電源コード１０は、多線ケーブル２７に接続され、ピン型コネクタ２５を介して各機器に電源が供給される。また、コントローラ４の操作入力は、リモートコントロール装置４ｋにより行うようになっている。【００６５】
以上説明した実施例５のオーディオシステム５００の各機器の機能は、実施例１の各機器の機能と同等であり、オーディオシステム５００は、実施例１のオーディオシステム１００と同等の動作を行うことができる。【００６６】
以上、オーディオシステム５００の構成及び動作について説明したが、オーディオシステム５００の構成要素のうち、長尺の支持部としての底板１９ａ及び天板１９ｂを有するオーディオラック本体としての長尺の棚１９と、ラック側ピン型コネクタ２５と、コントローラ４とを含んで実施例５のオーディオラックが構成されている。実施例５のオーディオラックによれば、ＣＤプレーヤ６、ＤＶＤプレーヤ７等の複数のオーディオ機器を底板１９ａ上の自由な任意の位置に設置して支持することができ、ラック側ピン型コネクタ２５にオーディオ機器６、７の機器側ピン型コネクタ２６を接続するだけでよいので、オーディオ機器６、７のセッティング時の配線接続作業及び配置転換時の配線接続作業が容易である。
【産業上の利用可能性】
【００６７】
以上のように、本発明にかかるオーディオラックは、ＣＤプレーヤ、ＤＶＤプレーヤ等の複数のオーディオ機器のセッティング時の配線接続作業及び機器の配置転換時の配線接続作業が容易なオーディオラックとして有用である。
【図１】
0004494414.tif 000002
【図２】
0004494414.tif 000003
【図３−１】
0004494414.tif 000004
【図３−２】
0004494414.tif 000005
【図４】
0004494414.tif 000006
【図５】
0004494414.tif 000007
【図６】
0004494414.tif 000008
【図７】
0004494414.tif 000009
【図８】
0004494414.tif 000010
【図９】
0004494414.tif 000011
【図１０】
0004494414.tif 000012
【図１１】
0004494414.tif 000013
【図１２】
0004494414.tif 000014
【図１３】
0004494414.tif 000015
【図１４】
0004494414.tif 000016